(57)【要約】【課題】シリンダボア以外の部位に溶射材料が付着することを抑制することのできるシリンダブロックの製造方法を提供する。【解決手段】このシリンダブロックの製造方法は、シリンダブロックの前駆体として、シリンダボア１１におけるクランクケース１２側の開口縁部の全周にクランクケース１２側ほどシリンダボア１１の中心軸側に位置するように傾いて延びる突起１３を備えたブロック体１０を成形する工程を含んでいる。さらに、この製造方法は、ブロック体１０にクランクケース１２側から筒状の遮蔽治具２０を挿入し、クランクケース１２の内壁をマスクするマスキング工程、遮蔽治具２０が配設されている状態のブロック体１０のシリンダボア１１に溶射材料を噴射してシリンダボア１１の壁面に被膜を形成する溶射工程、溶射工程を経て被膜が形成されたブロック体１０から突起１３を取り除く加工工程を含んでいる。【選択図】図１
2015229969.tif 000002
【特許請求の範囲】
【請求項１】
シリンダブロックの製造方法であり、
シリンダブロックの前駆体として、シリンダボアにおけるクランクケース側の開口縁部の全周にクランクケース側ほどシリンダボアの中心軸側に位置するように傾いて延びる突起を備えたブロック体を成形する工程と、
前記ブロック体にクランクケース側から筒状の遮蔽治具を挿入し、該遮蔽治具の先端が、前記中心軸と平行な方向において前記突起の先端よりも該突起の基端側に位置し、且つ前記中心軸と直交する方向において前記突起の先端と該突起の基端との間に位置するように、前記ブロック体内に前記遮蔽治具を配設してクランクケースの内壁をマスクするマスキング工程と、
前記遮蔽治具が配設されている状態の前記ブロック体のシリンダボアに溶射材料を噴射して、シリンダボアの壁面に被膜を形成する溶射工程と、
前記溶射工程を経て被膜が形成された前記ブロック体から前記突起を取り除く加工工程と、を含むシリンダブロックの製造方法。
【発明の詳細な説明】
【技術分野】
【０００１】
この発明は、シリンダボア壁面に被膜を形成する溶射工程を含むシリンダブロックの製造方法に関するものである。
【背景技術】
【０００２】
金属等を溶融状態にした溶射材料を噴射することで、シリンダボアの壁面に被膜を形成したシリンダブロックが知られている。また、シリンダボア以外の部位に溶射材料が付着することを抑制するため、被膜を形成する際に、クランクケース側のボア開口縁部に円筒状の治具を配設してマスキングを行うシリンダブロックの製造方法が知られている。
【０００３】
特許文献１には、こうした治具を用いたマスキング工程を不要とするため、クランクケース側のシリンダボア開口縁部からシリンダボアの壁面に沿う方向に突出した遮蔽壁を設けたシリンダブロックが開示されている。
【先行技術文献】
【特許文献】
【０００４】
【特許文献１】特開２００７‐０５６７９３号公報
【発明の概要】
【発明が解決しようとする課題】
【０００５】
特許文献１には遮蔽壁が開示されているものの、マスキングを行わないため遮蔽壁によって遮ることのできない範囲においては溶射材料の付着を抑制することができない。すなわち、依然として、シリンダボア以外の部位に溶射材料が付着する虞がある。
【０００６】
本発明は、このような実情に鑑みてなされたものであり、その目的は、シリンダボア以外の部位に溶射材料が付着することを抑制することのできるシリンダブロックの製造方法を提供することにある。
【課題を解決するための手段】
【０００７】
以下、上記課題を解決するための手段及びその作用効果について記載する。
上記課題を解決するためのシリンダブロックの製造方法は、シリンダブロックの前駆体として、シリンダボアにおけるクランクケース側の開口縁部の全周にクランクケース側ほどシリンダボアの中心軸側に位置するように傾いて延びる突起を備えたブロック体を成形する工程と、前記ブロック体にクランクケース側から筒状の遮蔽治具を挿入し、該遮蔽治具の先端が、前記中心軸と平行な方向において前記突起の先端よりも該突起の基端側に位置し、且つ前記中心軸と直交する方向において前記突起の先端と該突起の基端との間に位置するように、前記ブロック体内に前記遮蔽治具を配設してクランクケースの内壁をマスクするマスキング工程と、前記遮蔽治具が配設されている状態の前記ブロック体のシリンダボアに溶射材料を噴射して、シリンダボアの壁面に被膜を形成する溶射工程と、前記溶射工程を経て被膜が形成された前記ブロック体から前記突起を取り除く加工工程と、を含むことをその要旨とする。
【０００８】
溶射材料を噴射してシリンダボアの壁面に被膜を形成する際には、クランクケースの内壁に溶射材料が付着することを抑制するために、クランクケースの内壁をマスクするマスキングを行うことがある。こうしたマスキング工程では、遮蔽治具をクランクケース側のシリンダボア開口縁部に配設する。ところが、量産工程では、遮蔽治具をシリンダボア開口縁部に、全く隙間なく密接させることは困難であるため、遮蔽治具とシリンダボア開口縁部との間の間隙を通じて溶射材料がクランクケース内に侵入することがある。すなわち、遮蔽治具を用いてマスキングを行ってもクランクケースの内壁に溶射材料が付着してしまうおそれがある。
【０００９】
これに対して、上記製造方法では、シリンダボア開口縁部の全周にクランクケース側ほどシリンダボアの中心軸側に位置するように傾いて延びる突起を設け、筒状の遮蔽治具の先端を、シリンダボアの中心側から見てこの突起の裏側に隠れる位置まで挿入した状態で溶射を行うようにしている。そのため、シリンダボア開口縁部と遮蔽治具の先端との間に間隙があったとしても、その間隙は突起の裏側に隠れ、シリンダボアの中心側から噴射される溶射材料が間隙に到達しにくくなる。
【００１０】
したがって、溶射材料がクランクケース内に侵入することを抑制することができる。つまり、上記製造方法によれば、シリンダボア以外の部位に溶射材料が付着することを抑制することができる。
【図面の簡単な説明】
【００１１】
【図１】一実施形態にかかるシリンダブロックの製造方法において成形されるブロック体、及びマスキング工程において使用される遮蔽治具の断面構造を示す断面図。
【図２】変形例にかかるブロック体の突起周辺を拡大して示す断面図。
【発明を実施するための形態】
【００１２】
以下、シリンダブロックの製造方法の一実施形態について、図１を参照して説明する。
この製造方法は、シリンダブロックの前駆体として、図１に示すブロック体１０を成形する工程を含んでいる。
【００１３】
まず、ブロック体１０を成形する工程について説明する。
この工程では、シリンダボア１１と、シリンダボア１１に連通するクランクケース１２と、を形成するように入子を用いてブロック体１０を鋳造する。この工程を通じてシリンダボア１１におけるクランクケース１２側の開口縁部に突起１３が設けられる。
【００１４】
突起１３は、シリンダボア１１の開口縁部全周に形成される。また、図１に示すように、突起１３は、シリンダボア１１の開口縁部からクランクケース１２側に突出している。なお、突起１３は、クランクケース１２側に位置する部分ほど中心軸Ｃ側に位置するように中心軸Ｃに直交する面に対し傾いており、図１では中心軸Ｃに直交する面と突起１３とのなす角度を傾斜角度θとして示している。
【００１５】
また、突起１３は、シリンダボア１１の中心側の表面に粗面１３ａが形成されている。粗面１３ａは、入子に設けられた凹凸によって鋳造の際に形成される。
次に、ブロック体１０に遮蔽治具２０を配設するマスキング工程について説明する。このマスキング工程は、この製造方法において、ブロック体１０を成形する工程に続いて行われる。
【００１６】
このマスキング工程では、図１に示すようにシリンダボア１１の内径よりも大きな内径を有する筒状の遮蔽治具２０を、ブロック体１０にクランクケース１２側から挿入する。このとき、図１に示すように、遮蔽治具２０の先端が、中心軸Ｃと直交する方向において突起１３の先端と該突起１３の基端との間に位置するようにし、且つ遮蔽治具２０の先端が、中心軸Ｃと平行な方向において突起１３の先端よりも該突起１３の基端側に位置するように遮蔽治具２０を配設する。すなわち、シリンダボア１１の中心軸Ｃから見て、突起１３の裏側に遮蔽治具２０の先端が位置するように遮蔽治具２０を配設する。
【００１７】
次に、マスキング工程に続いて行われる溶射工程について説明する。
この溶射工程では、図１に示すように遮蔽治具２０が配設されている状態のブロック体１０のシリンダボア１１内に溶射ガン３０を挿入し、金属等を溶融状態にした溶射材料を噴射口３１から噴射してシリンダボア１１の壁面に吹き付ける。このとき、中心軸Ｃに沿って挿入された溶射ガン３０を中心軸Ｃを軸として回転させつつ、中心軸Ｃに沿って軸方向に移動させることによって、形成される被膜を均一なものとする。
【００１８】
次に、溶射工程に続いて行われる加工工程について説明する。
この加工工程では、シリンダボア１１の内部に挿入した加工具によって突起１３を除去する。この加工工程は、たとえば、シリンダボア１１の壁面を研削する所謂ホーニング加工の前工程であり、ホーニング加工機の動作を妨げないようにシリンダボア１１よりも拡径したホーニング逃し部を形成するボーリング工程である。
【００１９】
こうした加工工程の後、ホーニング加工を行うホーニング工程などを経てシリンダブロックは完成する。
次に本実施形態にかかるシリンダブロックの製造方法の作用について、図１を参照して説明する。
【００２０】
この製造方法では、シリンダボア１１の開口縁部の全周に、クランクケース１２側ほどシリンダボア１１の中心軸Ｃ側に位置するように傾斜した突起１３を延設したブロック体１０を成形する。そして、筒状の遮蔽治具２０の先端を、中心軸Ｃから見て突起１３の裏側に隠れる位置まで挿入した状態で溶射を行うようにしている。そのため、シリンダボア１１の開口縁部と遮蔽治具２０の先端との間に間隙があったとしても、その間隙は突起１３の裏側に隠れ、シリンダボア１１の中心側から噴射される溶射材料が間隙に到達しにくくなる。
【００２１】
なお、上記作用を得るための突起１３の傾斜角度θとしては、５°〜８５°の範囲を設定することができる。ただし、本実施形態の製造方法では、溶射材料がクランクケース１２内へ侵入することを好適に抑制するため、溶射ガン３０の口径等、溶射工程の条件に応じて４５°〜６０°の範囲を設定している。この範囲の傾斜角度θを有する突起１３をブロック体１０に設けることによって、突起１３に吹き付けられた溶射材料が跳ね返ることがより抑制される。ひいては跳ね返った溶射材料がクランクケース１２内に侵入することが抑制される。
【００２２】
以上説明した製造方法によれば、以下の効果が得られるようになる。
（１）この製造方法では、シリンダボア１１の開口縁部の全周に突起１３を設け、遮蔽治具２０の先端を、シリンダボア１１の中心側から見て突起１３の裏側に隠れる位置まで挿入した状態で溶射を行うようにしている。そのため、シリンダボア１１の開口縁部と遮蔽治具２０の先端との間に間隙があったとしても、その間隙は突起１３の裏側に隠れ、シリンダボア１１の中心側から噴射される溶射材料が間隙に到達しにくくなる。したがって、溶射材料がクランクケース１２内に侵入することを抑制することができる。すなわち、この製造方法によれば、シリンダボア１１以外の部位に溶射材料が付着することを抑制することができる。
【００２３】
（２）この製造方法では、突起１３の傾斜角度θの範囲を４５°〜６０°としている。溶射工程において突起１３に吹き付けられた溶射材料が跳ね返ることが抑制され、溶射材料が間隙から侵入してクランクケース１２内に付着することを抑制することができる。
【００２４】
（３）突起１３が粗面１３ａを有しているため、突起１３に吹き付けられた溶射材料が遊離することが抑制される。すなわち、シリンダボア１１に被膜を形成しなかった溶射材料が間隙からクランクケース１２内に侵入することを抑制することができる。
【００２５】
（４）一般的に、クランクケース一体型シリンダブロックでは、隣接するシリンダボア間でのクランクケース側の縁部にクランクシャフトの軸受としてのクランクジャーナルがクランクケース側に膨出して設けられている。したがって、遮蔽治具がクランクジャーナルと干渉しやすく、径の大きな遮蔽治具をクランクケースに挿入してマスキングを行うことは困難である。
【００２６】
この点、上記の製造方法では、シリンダブロックの前駆体であるブロック体１０にシリンダボア１１の中心軸Ｃ側に傾斜した突起１３を設け、この突起１３の裏側に先端が隠れるように遮蔽治具２０を挿入するようにしている。そのため、クランクジャーナルと干渉しない径の小さな遮蔽治具２０を用いてクランクケース１２の内壁をマスクすることができる。
【００２７】
なお、上記実施形態は、これを適宜変更した以下の形態にて実施することもできる。
・上記実施形態では、突起１３を取り除く加工工程としてボーリング工程を例示した。しかし、突起１３を取り除く工程は、ホーニング逃し部を形成するためのボーリング工程と同一の工程でなくてもよい。すなわち、ボーリング工程とは別に、突起１３を取り除く加工を行ってもよい。
【００２８】
・上記実施形態では突起１３が粗面１３ａを有するように成形したが、粗面１３ａを有していなくてもよい。遮蔽治具２０とシリンダボア１１の開口縁部との間の間隙から溶射材料がクランクケース１２内に侵入することを突起１３によって抑制することができれば、溶射材料がシリンダボア１１以外の部位に付着することを抑制することができる。
【００２９】
・突起１３をシリンダボア１１の開口縁部から延設する長さは、溶射条件に応じて適宜変更することができる。
・図２に示すような突起１４を突起１３に代わって設けても、上記実施形態と同様の効果を奏することができる。突起１４は、突起１３とは異なり傾斜の基端がシリンダボア１１の内壁よりもシリンダボア１１の径方向外側に位置している。しかし、突起１４は、上記突起１３と同様にクランクケース側ほどシリンダボアの中心軸側に位置するように傾いて延びている。したがって、遮蔽治具２０とシリンダボア１１の開口縁部との間の間隙を補う効果を得ることができる。すなわち、ブロック体１０に形成する突起としては、上記実施形態にかかる突起１３及び突起１４に限らず、クランクケース側ほどシリンダボアの中心軸側に位置するように傾いて延びる突起であればよい。
【符号の説明】
【００３０】
１０…ブロック体、１１…シリンダボア、１２…クランクケース、１３，１４…突起、１３ａ…粗面、２０…遮蔽治具、３０…溶射ガン、３１…噴射口。
【図１】
2015229969.tif 000003
【図２】
2015229969.tif 000004